(57)【要約】【課題】  パーソナルコンピュータ（ＰＣ）用アダプタ装置等において、ＰＣが設置された部屋とは別の部屋でオーディオ信号等を再生することができると共に、再生装置であるＰＣの制御も可能にすること。【解決手段】  ＰＣのヘッドフォン端子に接続可能なアダプタ側信号入力端子と、ＰＣのマイク端子に接続可能な制御信号出力端子と、コンセントジャックに接続可能なプラグ部と、アダプタ側信号入力端子から入力されたオーディオ信号をデジタル信号に変換するデジタル変換部１０と、オーディオ信号をプラグ部に接続された電力線を介して送信するアダプタ側電力線送信部１１と、出力装置から送信されたＰＣの制御信号をプラグ部に接続された電力線を介して受信するアダプタ側電力線受信部１２と、制御信号をアナログ信号に変換して制御信号出力端子から出力するアナログ変換部１３とを備えている。【選択図】      図１
2007295512.tif 000002
【特許請求の範囲】
【請求項１】
パーソナルコンピュータのオーディオ信号又は画像信号のＰＣ側信号出力端子に接続可能なアダプタ側信号入力端子と、
前記パーソナルコンピュータのアナログ信号入力端子に接続可能な制御信号出力端子と、
電力線のコンセントジャックに接続可能なプラグ部と、
前記アダプタ側信号入力端子から入力された前記オーディオ信号又は前記画像信号をデジタル信号に変換するデジタル変換部と、
変換された前記オーディオ信号又は前記画像信号を前記プラグ部に接続された電力線を介して送信するアダプタ側電力線送信部と、
電力線に接続された出力装置から送信された前記パーソナルコンピュータの制御信号を前記プラグ部に接続された電力線を介して受信するアダプタ側電力線受信部と、
受信した前記制御信号をアナログ信号に変換して前記制御信号出力端子から出力するアナログ変換部とを備えていることを特徴とするパーソナルコンピュータ用アダプタ装置。
【請求項２】
請求項１に記載のパーソナルコンピュータ用アダプタ装置において、
前記パーソナルコンピュータの電力入力端子に接続可能で前記プラグ部を介して電力線からの交流電圧を直流電圧に変換して前記パーソナルコンピュータに供給するＡＣ−ＤＣ変換部を備えていることを特徴とするパーソナルコンピュータ用アダプタ装置。
【請求項３】
請求項１又は２に記載のパーソナルコンピュータ用アダプタ装置において、
前記ＰＣ側信号出力端子が、アナログ信号である前記オーディオ信号を出力するヘッドフォン端子であり、
前記アナログ信号入力端子が、マイク端子又はライン入力端子であることを特徴とするパーソナルコンピュータ用アダプタ装置。
【請求項４】
請求項１から３のいずれか一項に記載のパーソナルコンピュータ用アダプタ装置において、
前記アダプタ側信号入力端子を有する入力ケーブルと前記制御信号出力端子を有する出力ケーブルとを備えたＰＣ用ケーブルと、
前記パーソナルコンピュータとは別の再生装置のオーディオ信号出力端子及び制御信号入力端子に着脱可能に接続される再生装置用入出力端子を有する再生装置用ケーブルと、
前記ＰＣ用ケーブルと前記デジタル変換部及び前記アナログ変換部とを接続可能であると共に、前記再生装置用ケーブルと前記デジタル変換部及び前記アダプタ側電力線受信部とを接続可能なＰＬＣ側コネクタ部とを備え、
前記ＰＣ用ケーブル及び前記再生装置用ケーブルが、前記ＰＬＣ側コネクタ部に着脱可能に接続され同一のコネクタ形状を有する共通コネクタ部をそれぞれ備えていることを特徴とするパーソナルコンピュータ用アダプタ装置。
【請求項５】
請求項１から４いずれか一項に記載のパーソナルコンピュータ用アダプタ装置と、
オーディオ信号又は画像信号を出力し前記アダプタ側信号入力端子が接続されたＰＣ側信号出力端子とアナログ信号を入力し前記制御信号出力端子が接続されたアナログ信号入力端子とを有し電力線に前記パーソナルコンピュータ用アダプタ装置を介して接続されたパーソナルコンピュータと、
電力線に接続された出力装置とを備え、
前記出力装置が、電力線に接続され電力線を介して前記オーディオ信号又は前記画像信号を受信する出力側電力線受信部と、
受信した前記オーディオ信号又は前記画像信号を再生する出力部と、
前記パーソナルコンピュータの制御信号の入力を行う操作部と、
入力された前記制御信号を前記パーソナルコンピュータ用アダプタ装置に電力線を介して送信する制御信号送信部とを備え、
前記パーソナルコンピュータが、前記アナログ信号入力端子から入力された前記制御信号に基づいて前記オーディオ信号又は前記画像信号の出力に関する制御を行う制御部を備えていることを特徴とするパーソナルコンピュータ信号再生システム。
【請求項６】
電力線に接続された出力装置の制御信号送信部が、入力されたパーソナルコンピュータの制御信号を電力線を介して送信するステップと、
パーソナルコンピュータ用アダプタ装置のアダプタ側電力線受信部が、電力線のコンセントジャックに接続されたプラグ部を介して前記制御信号を受信するステップと、
前記パーソナルコンピュータ用アダプタ装置のアナログ変換部が、受信した前記制御信号をアナログ信号に変換するステップと、
前記パーソナルコンピュータ用アダプタ装置のアナログ変換部が、前記変換した前記制御信号を前記パーソナルコンピュータのアナログ信号入力端子に接続された制御信号出力端子を介して前記アナログ信号入力端子から前記パーソナルコンピュータに出力するステップと、
前記パーソナルコンピュータの制御部が、前記アナログ信号入力端子から入力された前記制御信号に基づいてオーディオ信号又は画像信号の出力に関する制御を行うステップと、
前記パーソナルコンピュータの制御部が、前記制御に基づいてＰＣ側信号出力端子から前記オーディオ信号又は前記画像信号を出力するステップと、
前記パーソナルコンピュータ用アダプタ装置のデジタル変換部が、前記ＰＣ側信号出力端子に接続されたアダプタ側信号入力端子から入力された前記オーディオ信号又は前記画像信号をデジタル信号に変換するステップと、
前記パーソナルコンピュータ用アダプタ装置のアダプタ側電力線送信部が、前記変換された前記オーディオ信号又は前記画像信号を前記プラグ部に接続された電力線を介して送信するステップと、
前記出力装置の出力側電力線受信部が、電力線を介して前記オーディオ信号又は前記画像信号を受信するステップと、
前記出力装置の出力部が、受信した前記オーディオ信号又は前記画像信号を再生するステップとを有していることを特徴とするパーソナルコンピュータ信号再生方法。
【請求項７】
電力線に接続された出力装置の制御信号送信部が、入力されたパーソナルコンピュータの制御信号を電力線を介して送信するステップと、
パーソナルコンピュータ用アダプタ装置のアダプタ側電力線受信部が、電力線のコンセントジャックに接続されたプラグ部を介して前記制御信号を受信するステップと、
前記パーソナルコンピュータ用アダプタ装置のアナログ変換部が、受信した前記制御信号をアナログ信号に変換するステップと、
前記パーソナルコンピュータ用アダプタ装置のアナログ変換部が、前記変換した前記制御信号を前記パーソナルコンピュータのアナログ信号入力端子に接続された制御信号出力端子を介して前記アナログ信号入力端子から前記パーソナルコンピュータに出力するステップと、
前記パーソナルコンピュータの制御部が、前記アナログ信号入力端子から入力された前記制御信号に基づいてオーディオ信号又は画像信号の出力に関する制御を行うステップと、
前記パーソナルコンピュータの制御部が、前記制御に基づいてＰＣ側信号出力端子から前記オーディオ信号又は前記画像信号を出力するステップと、
前記パーソナルコンピュータ用アダプタ装置のデジタル変換部が、前記ＰＣ側信号出力端子に接続されたアダプタ側信号入力端子から入力された前記オーディオ信号又は前記画像信号をデジタル信号に変換するステップと、
前記パーソナルコンピュータ用アダプタ装置のアダプタ側電力線送信部が、前記変換された前記オーディオ信号又は前記画像信号を前記プラグ部に接続された電力線を介して送信するステップと、
前記出力装置の出力側電力線受信部が、電力線を介して前記オーディオ信号又は前記画像信号を受信するステップと、
前記出力装置の出力部が、受信した前記オーディオ信号又は前記画像信号を再生するステップとをコンピュータに実行させることを特徴とするパーソナルコンピュータ信号再生プログラム。
【請求項８】
電力線に接続された出力装置の制御信号送信部が、入力されたパーソナルコンピュータの制御信号を電力線を介して送信するステップと、
前記出力装置の出力側電力線受信部が、電力線を介してオーディオ信号又は画像信号を受信するステップと、
前記出力装置の出力部が、受信した前記オーディオ信号又は前記画像信号を再生するステップとをコンピュータに実行させ、
前記出力装置の出力側電力線受信部が受信する前記オーディオ信号又は前記画像信号が、パーソナルコンピュータ用アダプタ装置が電力線を介して受信しアナログ信号に変換すると共に前記パーソナルコンピュータに出力した前記制御信号に基づいて、前記パーソナルコンピュータが前記パーソナルコンピュータ用アダプタ装置に出力し前記パーソナルコンピュータ用アダプタ装置がデジタル信号に変換して電力線を介して送信したものであることを特徴とする出力装置制御プログラム。
【請求項９】
パーソナルコンピュータ用アダプタ装置のアダプタ側電力線受信部が、電力線に接続された出力装置から電力線を介して送信されたパーソナルコンピュータの制御信号を電力線のコンセントジャックに接続されたプラグ部を介して受信するステップと、
前記パーソナルコンピュータ用アダプタ装置のアナログ変換部が、受信した前記制御信号をアナログ信号に変換するステップと、
前記パーソナルコンピュータ用アダプタ装置のアナログ変換部が、前記変換した前記制御信号を前記パーソナルコンピュータのアナログ信号入力端子に接続された制御信号出力端子を介して前記アナログ信号入力端子から前記パーソナルコンピュータに出力するステップと、
前記パーソナルコンピュータ用アダプタ装置のデジタル変換部が、前記パーソナルコンピュータが前記制御信号に基づいてＰＣ側信号出力端子から出力したオーディオ信号又は画像信号を前記ＰＣ側信号出力端子に接続されたアダプタ側信号入力端子から入力しデジタル信号に変換するステップと、
前記パーソナルコンピュータ用アダプタ装置のアダプタ側電力線送信部が、前記変換された前記オーディオ信号又は前記画像信号を前記プラグ部に接続された電力線を介して前記出力装置に送信するステップとをコンピュータに実行させることを特徴とするパーソナルコンピュータ用アダプタ装置制御プログラム。
【請求項１０】
請求項９に記載のパーソナルコンピュータ用アダプタ装置制御プログラムにおいて、
前記パーソナルコンピュータとは別の再生装置のオーディオ信号出力端子及び制御信号入力端子と前記デジタル変換部及び前記アダプタ側電力線受信部とが再生装置用ケーブルでそれぞれ接続され前記再生装置への切替入力がされると、前記制御信号を前記再生装置に対応したものに変換して前記再生装置用ケーブルを介して前記制御信号入力端子へ出力するステップをコンピュータに実行させることを特徴とするパーソナルコンピュータ用アダプタ装置制御プログラム。
【請求項１１】
パーソナルコンピュータの制御部が、アナログ信号入力端子から入力される制御信号に基づいて、オーディオ信号又は画像信号の出力に関する制御を行うステップと、
前記制御部が、前記制御に基づいて、パーソナルコンピュータ用アダプタ装置のアダプタ側信号入力端子に接続されるＰＣ側信号出力端子から前記オーディオ信号又は前記画像信号を出力するステップとをコンピュータに実行させ、
前記アナログ信号入力端子から入力される前記制御信号が、前記パーソナルコンピュータ用アダプタ装置が出力装置から電力線を介して受信すると共にアナログ信号に変換され、前記アナログ信号入力端子に接続された前記パーソナルコンピュータ用アダプタ装置の制御信号出力端子を介して入力されたものであることを特徴とするパーソナルコンピュータ制御プログラム。
【発明の詳細な説明】
【技術分野】
【０００１】
本発明は、パーソナルコンピュータによってオーディオ信号や画像信号の再生を行うためのパーソナルコンピュータ用アダプタ装置、パーソナルコンピュータ信号再生システム、パーソナルコンピュータ信号再生方法、パーソナルコンピュータ信号再生プログラム、出力装置制御プログラム、パーソナルコンピュータ用アダプタ装置制御プログラム及びパーソナルコンピュータ制御プログラムに関する。
【背景技術】
【０００２】
従来、ＣＤプレーヤーやＤＶＤプレーヤー等のオーディオデータ送信装置（情報送信装置）からオーディオデータを複数の再生スピーカに対して送信し再生する技術として、例えば特許文献１に記載されているスピーカシステムが提案されている。
このスピーカシステムでは、１台のオーディオデータ送信装置から無線を介して、複数台設置される再生スピーカに対してオーディオデータを送信している。これにより、それぞれの再生スピーカに異なる種類のオーディオデータを再生させることを可能としている。
また、近年、パーソナルコンピュータによってＣＤ，ＤＶＤ、ＨＤＤ等に記録された音楽等のオーディオ信号又は静止画像や動画等の画像信号を外部の出力装置（スピーカやディスプレイ装置）に出力して再生することが行われている。
【０００３】
【特許文献１】特開２００１−２７５１９４号公報
【発明の開示】
【発明が解決しようとする課題】
【０００４】
上記従来の技術には、以下の課題が残されている。
すなわち、従来のスピーカシステムは、一つの部屋内において複数のスピーカから再生することを前提としており、他の部屋に鑑賞者が移動した場合（例えば、リビングから台所や風呂場等へ移動した場合）を考慮していない。このため、別の部屋に移動して再生を行う場合には、移動した部屋にＣＤプレーヤーやパーソナルコンピュータ等の再生装置を携帯する必要があった。また、再生装置と他の部屋に設置したスピーカ等の出力装置とを無線等で接続したとしても、演奏曲を変更したり早送り等を行いたい場合には、鑑賞者が再生装置のある部屋へ移動して再生装置を操作しなければならなかった。特に、パーソナルコンピュータでオーディオ信号又は画像信号を再生する場合、ＣＤプレーヤーやＤＶＤプレーヤー等の音楽や映像の専用再生装置ではないため、専用の操作ボタン等のインターフェースを備えておらず、パーソナルコンピュータで起動された音楽用や映像用のソフトウェアプログラムに基づいてキーボードやマウス等を操作することで、演奏曲の変更等の制御を行う必要があった。
【０００５】
本発明は、前述の課題に鑑みてなされたもので、パーソナルコンピュータが設置された部屋とは別の部屋でオーディオ信号等を再生することができると共に、再生装置であるパーソナルコンピュータの制御も可能にするパーソナルコンピュータ用アダプタ装置、パーソナルコンピュータ信号再生システム、パーソナルコンピュータ信号再生方法、パーソナルコンピュータ信号再生プログラム、出力装置制御プログラム、パーソナルコンピュータ用アダプタ装置制御プログラム及びパーソナルコンピュータ制御プログラムを提供することを目的とする。
【課題を解決するための手段】
【０００６】
本発明は、前記課題を解決するために以下の構成を採用した。すなわち、本発明のパーソナルコンピュータ用アダプタ装置は、パーソナルコンピュータのオーディオ信号又は画像信号のＰＣ側信号出力端子に接続可能なアダプタ側信号入力端子と、前記パーソナルコンピュータのアナログ信号入力端子に接続可能な制御信号出力端子と、電力線のコンセントジャックに接続可能なプラグ部と、前記アダプタ側信号入力端子から入力された前記オーディオ信号又は前記画像信号をデジタル信号に変換するデジタル変換部と、変換された前記オーディオ信号又は前記画像信号を前記プラグ部に接続された電力線を介して送信するアダプタ側電力線送信部と、電力線に接続された出力装置から送信された前記パーソナルコンピュータの制御信号を前記プラグ部に接続された電力線を介して受信するアダプタ側電力線受信部と、受信した前記制御信号をアナログ信号に変換して前記制御信号出力端子から出力するアナログ変換部とを備えていることを特徴とする。
【０００７】
本発明のパーソナルコンピュータ信号再生システムは、本発明のパーソナルコンピュータ用アダプタ装置と、オーディオ信号又は画像信号を出力し前記アダプタ側信号入力端子が接続されたＰＣ側信号出力端子とアナログ信号を入力し前記制御信号出力端子が接続されたアナログ信号入力端子とを有し電力線に前記パーソナルコンピュータ用アダプタ装置を介して接続されたパーソナルコンピュータと、電力線に接続された出力装置とを備え、前記出力装置が、電力線に接続され電力線を介して前記オーディオ信号又は前記画像信号を受信する出力側電力線受信部と、受信した前記オーディオ信号又は前記画像信号を再生する出力部と、前記パーソナルコンピュータの制御信号の入力を行う操作部と、入力された前記制御信号を前記パーソナルコンピュータ用アダプタ装置に電力線を介して送信する制御信号送信部とを備え、前記パーソナルコンピュータが、前記アナログ信号入力端子から入力された前記制御信号に基づいて前記オーディオ信号又は前記画像信号の出力に関する制御を行う制御部を備えていることを特徴とする。
【０００８】
本発明のパーソナルコンピュータ信号再生方法は、電力線に接続された出力装置の制御信号送信部が、入力されたパーソナルコンピュータの制御信号を電力線を介して送信するステップと、パーソナルコンピュータ用アダプタ装置のアダプタ側電力線受信部が、電力線のコンセントジャックに接続されたプラグ部を介して前記制御信号を受信するステップと、前記パーソナルコンピュータ用アダプタ装置のアナログ変換部が、受信した前記制御信号をアナログ信号に変換するステップと、前記パーソナルコンピュータ用アダプタ装置のアナログ変換部が、前記変換した前記制御信号を前記パーソナルコンピュータのアナログ信号入力端子に接続された制御信号出力端子を介して前記アナログ信号入力端子から前記パーソナルコンピュータに出力するステップと、前記パーソナルコンピュータの制御部が、前記アナログ信号入力端子から入力された前記制御信号に基づいてオーディオ信号又は画像信号の出力に関する制御を行うステップと、前記パーソナルコンピュータの制御部が、前記制御に基づいてＰＣ側信号出力端子から前記オーディオ信号又は前記画像信号を出力するステップと、前記パーソナルコンピュータ用アダプタ装置のデジタル変換部が、前記ＰＣ側信号出力端子に接続されたアダプタ側信号入力端子から入力された前記オーディオ信号又は前記画像信号をデジタル信号に変換するステップと、前記パーソナルコンピュータ用アダプタ装置のアダプタ側電力線送信部が、前記変換された前記オーディオ信号又は前記画像信号を前記プラグ部に接続された電力線を介して送信するステップと、前記出力装置の出力側電力線受信部が、電力線を介して前記オーディオ信号又は前記画像信号を受信するステップと、前記出力装置の出力部が、受信した前記オーディオ信号又は前記画像信号を再生するステップとを有していることを特徴とする。
【０００９】
本発明のパーソナルコンピュータ信号再生プログラムは、電力線に接続された出力装置の制御信号送信部が、入力されたパーソナルコンピュータの制御信号を電力線を介して送信するステップと、パーソナルコンピュータ用アダプタ装置のアダプタ側電力線受信部が、電力線のコンセントジャックに接続されたプラグ部を介して前記制御信号を受信するステップと、前記パーソナルコンピュータ用アダプタ装置のアナログ変換部が、受信した前記制御信号をアナログ信号に変換するステップと、前記パーソナルコンピュータ用アダプタ装置のアナログ変換部が、前記変換した前記制御信号を前記パーソナルコンピュータのアナログ信号入力端子に接続された制御信号出力端子を介して前記アナログ信号入力端子から前記パーソナルコンピュータに出力するステップと、前記パーソナルコンピュータの制御部が、前記アナログ信号入力端子から入力された前記制御信号に基づいてオーディオ信号又は画像信号の出力に関する制御を行うステップと、前記パーソナルコンピュータの制御部が、前記制御に基づいてＰＣ側信号出力端子から前記オーディオ信号又は前記画像信号を出力するステップと、前記パーソナルコンピュータ用アダプタ装置のデジタル変換部が、前記ＰＣ側信号出力端子に接続されたアダプタ側信号入力端子から入力された前記オーディオ信号又は前記画像信号をデジタル信号に変換するステップと、前記パーソナルコンピュータ用アダプタ装置のアダプタ側電力線送信部が、前記変換された前記オーディオ信号又は前記画像信号を前記プラグ部に接続された電力線を介して送信するステップと、前記出力装置の出力側電力線受信部が、電力線を介して前記オーディオ信号又は前記画像信号を受信するステップと、前記出力装置の出力部が、受信した前記オーディオ信号又は前記画像信号を再生するステップとをコンピュータに実行させることを特徴とする。
【００１０】
これらのパーソナルコンピュータ用アダプタ装置、パーソナルコンピュータ信号再生システム、パーソナルコンピュータ信号再生方法及びパーソナルコンピュータ信号再生プログラムでは、スピーカ等の出力装置側でパーソナルコンピュータの制御信号（選曲、再生、停止、早送り、早戻し等の信号）が入力されて電力線を介して送信されると、これをパーソナルコンピュータ用アダプタ装置のアダプタ側電力線受信部が電力線を介して受信して、パーソナルコンピュータのアナログ信号入力端子からパーソナルコンピュータに出力するので、パーソナルコンピュータが出力装置からの制御信号に基づいてオーディオ信号又は画像信号の出力に関する制御を行うことができる。そして、制御信号に基づいてパーソナルコンピュータのＰＣ側信号出力端子からオーディオ信号又は画像信号をパーソナルコンピュータ用アダプタ装置を介して電力線通信によって出力装置側へ送信することで、出力装置側から入力した操作内容のオーディオ信号又は画像信号を出力装置で再生することができる。
【００１１】
このように、再生装置であるパーソナルコンピュータを直接操作せずに、出力装置側からパーソナルコンピュータ用アダプタ装置を介してパーソナルコンピュータを遠隔操作することができる。また、パーソナルコンピュータに通常備えられているアナログ信号出力端子及びＰＣ側信号出力端子を用いて信号入出力を行うと共に、パーソナルコンピュータに電力線通信の送受信機能を付加する等のハードウェアの変更や追加の必要がなく、制御用のソフトウェアプログラムをインストールするだけで済む。また、制御信号に関するデコードの負荷はパーソナルコンピュータが負うことにより、パーソナルコンピュータ用アダプタ装置自体の製造コストを低減することができる。
【００１２】
また、本発明のパーソナルコンピュータ用アダプタ装置は、前記パーソナルコンピュータの電力入力端子に接続可能で前記プラグ部を介して電力線からの交流電圧を直流電圧に変換して前記パーソナルコンピュータに供給するＡＣ−ＤＣ変換部を備えていることを特徴とする。このパーソナルコンピュータ用アダプタ装置では、ＡＣ−ＤＣ変換部を備えているので、パーソナルコンピュータのＤＣ電源アダプタとして兼用することができる。
【００１３】
また、本発明のパーソナルコンピュータ用アダプタ装置は、前記ＰＣ側信号出力端子が、アナログ信号である前記オーディオ信号を出力するヘッドフォン端子であり、前記アナログ信号入力端子が、マイク端子又はライン入力端子であることを特徴とする。すなわち、このパーソナルコンピュータ用アダプタ装置では、ＰＣ側信号出力端子として通常内蔵されているヘッドフォンジャックを用いると共にアナログ信号入力端子として通常内蔵されているマイク端子又はライン入力端子を用いることにより、パーソナルコンピュータで標準的に実装されているこれら端子を流用して外部の出力装置で再生可能であると共に出力装置からの制御信号を入力することができる。
なお、本明細書では上記ヘッドフォン端子は、イヤーフォン端子を含むものである。
【００１４】
また、本発明のパーソナルコンピュータ用アダプタ装置は、前記アダプタ側信号入力端子を有する入力ケーブルと前記制御信号出力端子を有する出力ケーブルとを備えたＰＣ用ケーブルと、前記パーソナルコンピュータとは別の再生装置のオーディオ信号出力端子及び制御信号入力端子に着脱可能に接続される再生装置用入出力端子を有する再生装置用ケーブルと、前記ＰＣ用ケーブルと前記デジタル変換部及び前記アナログ変換部とを接続可能であると共に、前記再生装置用ケーブルと前記デジタル変換部及び前記アダプタ側電力線受信部とを接続可能なＰＬＣ側コネクタ部とを備え、前記ＰＣ用ケーブル及び前記再生装置用ケーブルが、前記ＰＬＣ側コネクタ部に着脱可能に接続され同一のコネクタ形状を有する共通コネクタ部をそれぞれ備えていることを特徴とする。
すなわち、このパーソナルコンピュータ用アダプタ装置では、ＰＣ用ケーブルと同一コネクタ形状の共通コネクタ部を有する再生装置用ケーブルを備えているので、ＰＣ用ケーブルに替えて再生装置用ケーブルをＰＬＣ側コネクタ部に共通コネクタ部で接続することで、他の再生装置においても外部の出力装置で再生することができる。また、他の再生装置に接続した際は、その再生装置に対応した制御信号を再生装置用入出力端子から出力することができる。すなわち、再生装置毎に予め設定された制御信号を出力するためには、アダプタ側電力線受信部に設けられたファームウェアを変更するだけで対応することが可能になる。したがって、ハードウェアを共有化でき、コストの低減を図ることができると共に、パーソナルコンピュータだけでなく、多様な再生装置にも容易に対応可能になる。
【００１５】
本発明の出力装置制御プログラムは、電力線に接続された出力装置の制御信号送信部が、入力されたパーソナルコンピュータの制御信号を電力線を介して送信するステップと、前記出力装置の出力側電力線受信部が、電力線を介してオーディオ信号又は画像信号を受信するステップと、前記出力装置の出力部が、受信した前記オーディオ信号又は前記画像信号を再生するステップとをコンピュータに実行させ、前記出力装置の出力側電力線受信部が受信する前記オーディオ信号又は前記画像信号が、パーソナルコンピュータ用アダプタ装置が電力線を介して受信しアナログ信号に変換すると共に前記パーソナルコンピュータに出力した前記制御信号に基づいて、前記パーソナルコンピュータが前記パーソナルコンピュータ用アダプタ装置に出力し前記パーソナルコンピュータ用アダプタ装置がデジタル信号に変換して電力線を介して送信したものであることを特徴とする。
【００１６】
本発明のパーソナルコンピュータ用アダプタ装置制御プログラムは、パーソナルコンピュータ用アダプタ装置のアダプタ側電力線受信部が、電力線に接続された出力装置から電力線を介して送信されたパーソナルコンピュータの制御信号を電力線のコンセントジャックに接続されたプラグ部を介して受信するステップと、前記パーソナルコンピュータ用アダプタ装置のアナログ変換部が、受信した前記制御信号をアナログ信号に変換するステップと、前記パーソナルコンピュータ用アダプタ装置のアナログ変換部が、前記変換した前記制御信号を前記パーソナルコンピュータのアナログ信号入力端子に接続された制御信号出力端子を介して前記アナログ信号入力端子から前記パーソナルコンピュータに出力するステップと、前記パーソナルコンピュータ用アダプタ装置のデジタル変換部が、前記パーソナルコンピュータが前記制御信号に基づいてＰＣ側信号出力端子から出力したオーディオ信号又は画像信号を前記ＰＣ側信号出力端子に接続されたアダプタ側信号入力端子から入力しデジタル信号に変換するステップと、前記パーソナルコンピュータ用アダプタ装置のアダプタ側電力線送信部が、前記変換された前記オーディオ信号又は前記画像信号を前記プラグ部に接続された電力線を介して前記出力装置に送信するステップとをコンピュータに実行させることを特徴とする。
【００１７】
さらに、本発明のパーソナルコンピュータ用アダプタ装置制御プログラムは、前記パーソナルコンピュータとは別の再生装置のオーディオ信号出力端子及び制御信号入力端子と前記デジタル変換部及び前記アダプタ側電力線受信部とが再生装置用ケーブルでそれぞれ接続され前記再生装置への切替入力がされると、前記制御信号を前記再生装置に対応したものに変換して前記再生装置用ケーブルを介して前記制御信号入力端子へ出力するステップをコンピュータに実行させることを特徴とする。
【００１８】
本発明のパーソナルコンピュータ制御プログラムは、パーソナルコンピュータの制御部が、出力装置からパーソナルコンピュータ用アダプタ装置が電力線を介して受信してアナログ信号に変換され前記パーソナルコンピュータ用アダプタ装置の制御信号出力端子を介してアナログ信号入力端子から入力された制御信号に基づいて、オーディオ信号又は画像信号の出力に関する制御を行うステップと、前記制御部が、前記制御に基づいて、前記パーソナルコンピュータ用アダプタ装置のアダプタ側信号入力端子に接続されるＰＣ側信号出力端子から前記オーディオ信号又は前記画像信号を出力するステップとをコンピュータに実行させることを特徴とする。
【発明の効果】
【００１９】
本発明によれば、以下の効果を奏する。
すなわち、本発明によれば、パーソナルコンピュータを直接操作せずに、出力装置側からパーソナルコンピュータ用アダプタ装置を介してパーソナルコンピュータを遠隔操作することができ、パーソナルコンピュータが設置された部屋と異なる部屋に設置された出力装置でも、希望する内容のオーディオ信号又は画像信号を再生することができる。また、パーソナルコンピュータに通常備えられているアナログ信号出力端子及びＰＣ側信号出力端子を用いて信号入出力を行うと共に、パーソナルコンピュータに電力線通信の送受信機能を付加する等のハードウェアの変更や追加の必要がなく、制御用のソフトウェアプログラムをインストールするだけで済むので、パーソナルコンピュータが高コストになることがなく、通常のパーソナルコンピュータでも外部再生及び遠隔操作を容易に行うことができる。
【発明を実施するための最良の形態】
【００２０】
以下、本発明に係るパーソナルコンピュータ用アダプタ装置、パーソナルコンピュータ信号再生システム、パーソナルコンピュータ信号再生方法、パーソナルコンピュータ信号再生プログラム、出力装置制御プログラム、パーソナルコンピュータ用アダプタ装置制御プログラム及びパーソナルコンピュータ制御プログラムの第１実施形態を、図１から図５を参照しながら説明する。
【００２１】
本実施形態のパーソナルコンピュータ用アダプタ装置１は、図１から図３に示すように、例えば一般家屋等に配線され複数の電子機器へ電力供給を行う電力線Ｌを介して、ノート型のパーソナルコンピュータ２から出力されるオーディオ信号を別の部屋等に設置された外部スピーカ装置（出力装置）３で再生出力させるためのアダプタである。
【００２２】
このパーソナルコンピュータ用アダプタ装置１は、パーソナルコンピュータ２のヘッドフォン端子（アナログ信号であるオーディオ信号のＰＣ側信号出力端子）４に接続可能なアダプタ側信号入力端子６と、パーソナルコンピュータ２のマイク端子（アナログ信号入力端子）５に接続可能な制御信号出力端子７と、電力線Ｌのコンセントジャック８に接続可能なプラグ部９と、アダプタ側信号入力端子６から入力されたオーディオ信号をデジタル信号に変換するデジタル変換部１０と、変換されたオーディオ信号をプラグ部９に接続された電力線Ｌを介して送信するアダプタ側電力線送信部１１と、電力線Ｌに接続された外部スピーカ装置３から送信されたパーソナルコンピュータ２の制御信号をプラグ部９に接続された電力線Ｌを介して受信するアダプタ側電力線受信部１２と、受信した制御信号をアナログ信号に変換して制御信号出力端子７から出力するアナログ変換部１３とを備えている。
【００２３】
また、本実施形態のパーソナルコンピュータ信号再生システムは、上記パーソナルコンピュータ用アダプタ装置１と、オーディオ信号を出力しアダプタ側信号入力端子６が接続されたヘッドフォン端子４とアナログ信号を入力し制御信号出力端子７が接続されたマイク端子５とを有し電力線Ｌにパーソナルコンピュータ用アダプタ装置１を介して接続されたパーソナルコンピュータ２と、電力線Ｌに接続された外部スピーカ装置３とを備えている。
【００２４】
上記外部スピーカ装置３は、電力線Ｌに接続され電力線Ｌを介してオーディオ信号を受信する出力側電力線受信部１４と、受信したオーディオ信号を再生する出力部１５と、パーソナルコンピュータ２の制御信号の入力を行う操作部１６と、入力された制御信号をパーソナルコンピュータ用アダプタ装置１に電力線Ｌを介して送信する制御信号送信部１７と、受信したオーディオ信号の再生内容に関する情報を表示する液晶ディスプレイ部（表示部）１８とを備えている。
【００２５】
上記出力部１５は、出力側電力線受信部１４からのオーディオ信号を増幅するアンプ部１９と、増幅されたオーディオ信号を音声出力するスピーカ部２０とで構成されている。
上記操作部１６は、図４に示すように、外部スピーカ装置３の正面に設置され、パーソナルコンピュータ２の各制御信号に対応した複数の操作ボタン２１を備えている。また、操作部１６は、制御信号送信部１７に接続されている。
【００２６】
また、上記パーソナルコンピュータ２は、マイク端子５から入力された制御信号に基づいてオーディオ信号の出力に関する制御を行う制御部Ｃを備えている。
さらに、上記パーソナルコンピュータ用アダプタ装置１は、パーソナルコンピュータ２の電力入力端子２２に電源プラグ２３ａで接続可能でプラグ部９を介して電力線Ｌからの交流電圧を直流電圧に変換してパーソナルコンピュータ２に供給するＡＣ−ＤＣ変換部２３を備えている。そして、パーソナルコンピュータ２は、ＡＣ−ＤＣ変換部２３から電力の供給を受けると共に内蔵した充電池（図示略）に充電可能とされている。
【００２７】
上記アダプタ側信号入力端子６及び制御信号出力端子７は、ケーブル線６ａ，７ａでデジタル変換部１０及びアナログ変換部１３にそれぞれ接続されている。
また、上記電源プラグ２３ａは、電源線２３ｂでＡＣ−ＤＣ変換部２３に接続されている。
【００２８】
上記パーソナルコンピュータ２は、内蔵したＨＤＤや不揮発性メモリ（図示略）等に楽曲等のオーディオデータを保存、記憶可能であり、記憶したオーディオデータを再生するソフトウェアのプログラムがインストールされている。なお、パーソナルコンピュータ２では、オーディオデータがＭＰ３ (MPEG AudioLayer III)形式やＷＡＶＥ形式等で記憶されており、数百Ｍバイトから数十Ｇバイトの記憶領域を有している。
【００２９】
なお、本パーソナルコンピュータ信号再生システム、パーソナルコンピュータ用アダプタ装置１、パーソナルコンピュータ２及び外部スピーカ装置３におけるデータの各処理部、すなわちアダプタ側電力線送信部１１、アダプタ側電力線受信部１２、出力側電力線受信部１４、制御信号送信部１７、デジタル変換部１０、アナログ変換部１３、制御部Ｃ等は、専用のハードウェアにより実現されるものであってもよく、また、各処理部はコンピュータシステムとしてメモリ及びＣＰＵ（中央集積装置）により構成され、各処理部の機能及び後述する本実施形態のオーディオデータ通信方法及び再生方法を実現するためのプログラムをメモリにロードして実行することによりその機能を実現させるものであってもよい。
【００３０】
すなわち、上記プログラムは、コンピュータ読み取り可能なプログラムであり、前述した機能及び後述するパーソナルコンピュータ信号再生方法の一部を実現するためであってもよい。特に、パーソナルコンピュータ２の制御部Ｃは、インストールされたソフトウェアに基づいて各命令を実行するように設定されている。
さらに、上記プログラムは、前述した機能をコンピュータシステムに既に記録されているプログラムとの組み合わせで実現できるもの、いわゆる差分ファイル（差分プログラム）であってもよい。
【００３１】
また、上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電力線、電話回線等の通信回線（通信線）のように、情報を伝送する機能を有する媒体をいうものとする。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ(Random Access Memory)のような揮発性のメモリ或いはこれらの組み合わせによるコンピュータ読み取り、書き込み可能な記録媒体より構成されるものとする。
【００３２】
次に、本実施形態のパーソナルコンピュータ信号再生システムによるオーディオ信号の再生方法について、図１から図５を参照して説明する。
【００３３】
まず、パーソナルコンピュータ２においてオーディオデータ再生専用のソフトウェアのプログラムを起動させておく。
パーソナルコンピュータ２とは別の部屋であって外部スピーカ装置３が設置された部屋に鑑賞者がいる場合において説明すると、まず電力線Ｌに接続された外部スピーカ装置３の操作部１６におけるいずれかの操作ボタン２１が鑑賞者により押されると、制御信号送信部１７が、操作ボタン２１に対応した制御信号を電力線Ｌを介して送信する。
次に、パーソナルコンピュータ用アダプタ装置１のアダプタ側電力線受信部１２が、電力線Ｌのコンセントジャック８に接続されたプラグ部９を介して制御信号を受信する。
【００３４】
さらに、パーソナルコンピュータ用アダプタ装置１のアナログ変換部１３が、受信した制御信号をアナログ信号に変換する。
この変換した制御信号を、パーソナルコンピュータ用アダプタ装置１のアナログ変換部１３が、パーソナルコンピュータ２のマイク端子５に接続された制御信号出力端子７を介してマイク端子５からパーソナルコンピュータ２に出力する。
【００３５】
次に、パーソナルコンピュータ２の制御部Ｃは、マイク端子５から入力された制御信号に関するデコードをインストールしておいたソフトウェアプログラムに基づいて行い、図５に示すように、デコードされた制御信号に基づいてオーディオ信号の出力に関する制御を行う（ステップＳ１）。このとき、制御信号が所定のオーディオファイルの再生信号である場合（ステップＳ２）、制御部Ｃは、所定のオーディオファイルのオーディオ信号をヘッドフォン端子４から出力する（ステップＳ３）。
そして、パーソナルコンピュータ用アダプタ装置１のデジタル変換部１０が、ヘッドフォン端子４に接続されたアダプタ側信号入力端子６から入力されたオーディオ信号をデジタル信号に変換する。
【００３６】
さらに、パーソナルコンピュータ用アダプタ装置１のアダプタ側電力線送信部１１が、変換されたオーディオ信号をプラグ部９に接続された電力線Ｌを介して外部スピーカ装置３へ送信する。
外部スピーカ装置３の出力側電力線受信部１４は、電力線Ｌを介してオーディオ信号を受信し、出力部１５のアンプ部２０が、受信したオーディオ信号を増幅し、このオーディオ信号をスピーカ部２０が音声出力することにより再生する。
【００３７】
なお、オーディオ信号に再生内容に関する情報が含まれている場合、液晶ディスプレイ部１８において再生内容に関する情報を表示するので、外部スピーカ装置３側で曲名、アーティスト名等の再生内容を確認することができる。
【００３８】
外部スピーカ装置３から送信される制御信号が、再生信号ではなくファイル送り又はファイル戻りの制御信号である場合（ステップＳ４）、ファイル送りの制御信号では所定のオーディオファイルのファイル送りを制御部Ｃが命令し、ファイル戻りの制御信号では所定のオーディオファイルのファイル戻りを制御部Ｃが命令する（ステップＳ５，Ｓ６）。この制御部Ｃの命令に基づいてファイル送り又はファイル戻りが行われたオーディオ信号が上記処理と同様の手順でパーソナルコンピュータ用アダプタ装置１及び電力線Ｌを介して外部スピーカ装置３に送信されて再生が行われる。また、制御信号が再生の停止信号である場合（ステップＳ６）、制御部Ｃは、再生停止を行い（ステップＳ７）、外部スピーカ装置３における再生出力が停止される。
【００３９】
このように本実施形態では、パーソナルコンピュータ２を直接操作せずに、外部スピーカ装置３側からパーソナルコンピュータ用アダプタ装置１を介してパーソナルコンピュータ２を遠隔操作することができる。したがって、パーソナルコンピュータ２を設置した部屋とは別の部屋でも鑑賞者が外部スピーカ装置３を操作することで、部屋を移動せずに所望のオーディオデータの再生することができ、パーソナルコンピュータ２の制御が可能となる。
【００４０】
また、パーソナルコンピュータ２に備えられているヘッドフォン端子４及びマイク端子５を用いて信号入出力を行うと共に、パーソナルコンピュータ２に電力線通信の送受信機能を付加する等のハードウェアの変更や追加の必要がなく、制御用のソフトウェアプログラムをインストールするだけで済むので、パーソナルコンピュータ２が高コストになることがなく、通常のパーソナルコンピュータ２でも外部再生及び遠隔操作を容易に行うことができる。
【００４１】
また、制御信号に関するデコードの負荷はパーソナルコンピュータ２が負うことにより、パーソナルコンピュータ用アダプタ装置１自体の製造コストを低減することができる。
さらに、パーソナルコンピュータ用アダプタ装置１では、ＡＣ−ＤＣ変換部２３を備えているので、パーソナルコンピュータ２のＤＣ電源アダプタとして兼用することができる。
【００４２】
次に、本発明に係るパーソナルコンピュータ用アダプタ装置、パーソナルコンピュータ信号再生システム、パーソナルコンピュータ信号再生方法、パーソナルコンピュータ信号再生プログラム、出力装置制御プログラム、パーソナルコンピュータ用アダプタ装置制御プログラム及びパーソナルコンピュータ制御プログラムの第２実施形態について、図６から図８を参照して以下に説明する。なお、以下の実施形態の説明において、上記実施形態において説明した同一の構成要素には同一の符号を付し、その説明は省略する。
【００４３】
第２実施形態と第１実施形態との異なる点は、第１実施形態ではパーソナルコンピュータ専用ケーブルとして、アダプタ側信号入力端子６を有するケーブル線６ａ及び制御信号出力端子７を有するケーブル線７ａが、デジタル変換部１０及びアナログ変換部１３に固定的に接続されているのに対し、第２実施形態のパーソナルコンピュータ用アダプタ装置１００では、図６から図８に示すように、他の再生装置であるポータブルオーディオプレーヤー１０２Ａや携帯電話１０２Ｂも接続可能にするために、パーソナルコンピュータ専用ケーブルであるＰＣ用ケーブル１２３が着脱可能にデジタル変換部１０及びアナログ変換部１３に接続されていると共に、ポータブルオーディオプレーヤー１０２Ａ及び携帯電話１０２Ｂに着脱可能に接続可能なポータブルプレーヤー用ケーブル（再生装置用ケーブル）１２３Ａ及び携帯電話用ケーブル（再生装置用ケーブル）１２３Ｂを備えている点である。
【００４４】
すなわち、第２実施形態のパーソナルコンピュータ用アダプタ装置１００では、アダプタ側信号入力端子６を有する入力ケーブル１０６ａと制御信号出力端子７を有する出力ケーブル１０７ａとを備えたＰＣ用ケーブル１２３と、ポータブルオーディオプレーヤー１０２Ａのオーディオ信号出力端子（ヘッドフォン端子：図示略）及び制御信号入力端子（リモート端子：図示略）に着脱可能に接続される再生装置用入出力端子１０６Ａを有するポータブルプレーヤー用ケーブル１２３Ａと、携帯電話１０２Ｂのオーディオ信号出力端子（ヘッドフォン端子：図示略）及び制御信号入力端子（リモート端子：図示略）に着脱可能に接続される再生装置用入出力端子１０６Ｂを有する携帯電話用ケーブル１２３Ｂと、ＰＣ用ケーブル１２３とデジタル変換部１０及びアナログ変換部１３とを接続可能であると共に、ポータブルプレーヤー用ケーブル１２３Ａ又は携帯電話用ケーブル１２３Ｂとデジタル変換部１０及びアダプタ側電力線受信部１２とを接続可能なＰＬＣ側コネクタ部１０４とを備えている。
【００４５】
また、上記ＰＣ用ケーブル１２３、ポータブルプレーヤー用ケーブル１２３Ａ及び携帯電話用ケーブル１２３Ｂは、ＰＬＣ側コネクタ部１０４に着脱可能に接続され同一のコネクタ形状を有する共通コネクタ部１０５をそれぞれ備えている。
なお、上記ＰＣ用ケーブル１２３、ポータブルプレーヤー用ケーブル１２３Ａ及び携帯電話用ケーブル１２３Ｂは、いずれもＡＣ−ＤＣ変換部２３に接続可能なＤＣ線（図示略）を有しており、パーソナルコンピュータ２、ポータブルオーディオプレーヤー１０２Ａ及び携帯電話１０２Ｂは、ＤＣ線を介して充電可能になっている。
【００４６】
上記ポータブルオーディオプレーヤー１０２Ａは、オーディオデータを記録するＨＤＤ又はメモリを内蔵したものであって、充電用のＤＣ線及び上記ポータブルプレーヤー用ケーブル１２３Ａが接続されるクレードル１０６を備えている。また、上記携帯電話１０２Ｂは、オーディオデータを記録するＨＤＤ又はメモリを内蔵したものであって、オーディオ再生機能を有するものである。
【００４７】
上記パーソナルコンピュータ用アダプタ装置１００は、パーソナルコンピュータ２で再生を行う場合は、ＰＣ用ケーブル１２３でパーソナルコンピュータ２とＰＬＣ側コネクタ部１０４とを接続するが、ポータブルオーディオプレーヤー１０２Ａで再生を行いたい場合、ＰＣ用ケーブル１２３を取り外し、図８に示すように、ポータブルプレーヤー用ケーブル１２３Ａの共通コネクタ部１０５をＰＬＣ側コネクタ部１０４に接続すると共に、再生装置用入出力端子１０６Ａをポータブルオーディオプレーヤー１０２Ａのクレードル１０６に設けられたオーディオ信号出力端子及び制御信号入力端子に接続する。
【００４８】
また、携帯電話１０２Ｂで再生を行う場合は、ＰＬＣ側コネクタ部１０４に接続されていたＰＣ用ケーブル１２３又はポータブルプレーヤー用ケーブル１２３Ａを取り外し、携帯電話用ケーブル１２３Ｂの共通コネクタ部１０５をＰＬＣ側コネクタ部１０４に接続すると共に、再生装置用入出力端子１０６Ｂを携帯電話１０２Ｂのオーディオ信号出力端子及び制御信号入力端子に接続する。
さらに、パーソナルコンピュータ用アダプタ装置１００自体又は外部スピーカ装置３からの再生装置の切替入力により、接続されたポータブルオーディオプレーヤー１０２Ａ用又は携帯電話１０２Ｂ用にアダプタ側電力線受信部１２内のファームウェアが変更され、外部スピーカ装置３から送信された制御信号をポータブルオーディオプレーヤー１０２Ａ又は携帯電話１０２Ｂに対応した制御信号に変換して出力できるように設定される。
【００４９】
すなわち、このパーソナルコンピュータ用アダプタ装置１００では、ＰＣ用ケーブル１２３と同一コネクタ形状の共通コネクタ部１０５を有するポータブルプレーヤー用ケーブル１２３Ａ及び携帯電話用ケーブル１２３Ｂを備えているので、ＰＣ用ケーブル１２３に替えてポータブルプレーヤー用ケーブル１２３Ａ又は携帯電話用ケーブル１２３ＢをＰＬＣ側コネクタ部１０４に共通コネクタ部１０５で接続することで、ポータブルオーディオプレーヤー１０２Ａや携帯電話１０２Ｂにおいても外部スピーカ装置３で再生することができる。
【００５０】
また、これら他の再生装置（ポータブルオーディオプレーヤー１０２Ａや携帯電話１０２Ｂ）に接続した際は、その再生装置に対応した制御信号を再生装置用入出力端子１０６Ａ、１０６Ｂから出力することができる。すなわち、再生装置毎に予め設定された制御信号を出力するためには、ファームウェアを変更するだけで対応することが可能になる。したがって、ハードウェアを共有化でき、かつ安価なケーブルの交換で各再生装置に対応できるので、コストの低減を図ることができる。また、著作権の保護や再生装置毎の異なる圧縮方法にも特に対応する必要がない。これらにより、パーソナルコンピュータ２だけでなく、ポータブルオーディオプレーヤー１０２Ａや携帯電話１０２Ｂ等の多様な再生装置にも容易にかつ低コストで対応可能になる。
【００５１】
なお、本発明の技術範囲は上記各実施形態に限定されるものではなく、本発明の趣旨を逸脱しない範囲において種々の変更を加えることが可能である。
【００５２】
上記各実施形態では、ノート型のパーソナルコンピュータ２を採用しているが、デスクトップ型のパーソナルコンピュータやＰＤＡ等でも構わない。
また、パーソナルコンピュータ２のアナログ信号入力端子としてマイク端子５を用いているが、ライン入力端子を同様に用いても構わない。
【００５３】
上記各実施形態では、パーソナルコンピュータ２からのオーディオ信号による音声再生を行ったが、画像信号（映像信号を含むものとする）による画像（映像）再生を行っても構わない。この場合、電力線Ｌに接続される出力装置としては、液晶ディスプレイ等の画像表示装置が採用される。
また、外部スピーカ装置３側でドルビー（登録商標）制御やイコライザ制御等を行うようにしても構わない。
【図面の簡単な説明】
【００５４】
【図１】本発明に係る第１実施形態のパーソナルコンピュータ用アダプタ装置、パーソナルコンピュータ信号再生システム、パーソナルコンピュータ信号再生方法、パーソナルコンピュータ信号再生プログラム、出力装置制御プログラム、パーソナルコンピュータ用アダプタ装置制御プログラム及びパーソナルコンピュータ制御プログラムにおいて、パーソナルコンピュータ用アダプタ装置を示す構成図である。
【図２】第１実施形態について、パーソナルコンピュータ信号再生システムを示す全体の構成図及びパーソナルコンピュータ用アダプタ装置とパーソナルコンピュータとの接続を示す要部斜視図である。
【図３】第１実施形態について、パーソナルコンピュータ信号再生システムを示す全体のブロック構成図である。
【図４】第１実施形態について、外部スピーカ装置を示す正面図である。
【図５】第１実施形態について、パーソナルコンピュータ信号再生方法において制御部におけるフローチャートである。
【図６】本発明に係る第２実施形態のパーソナルコンピュータ用アダプタ装置、パーソナルコンピュータ信号再生システム、パーソナルコンピュータ信号再生方法、パーソナルコンピュータ信号再生プログラム、出力装置制御プログラム、パーソナルコンピュータ用アダプタ装置制御プログラム及びパーソナルコンピュータ制御プログラムにおいて、パーソナルコンピュータ用アダプタ装置を示す構成図である。
【図７】第２実施形態について、パーソナルコンピュータ用アダプタ装置及び各ケーブルを示す平面図である。
【図８】第２実施形態について、パーソナルコンピュータ用アダプタ装置を示すポータブルオーディオプレーヤーと接続状態での斜視図である。
【符号の説明】
【００５５】
１、１００…パーソナルコンピュータ用アダプタ装置、２…パーソナルコンピュータ、３…外部スピーカ装置（出力装置）、４…ヘッドフォン端子（ＰＣ側信号出力端子）、５…マイク端子（アナログ信号入力端子）、６…アダプタ側信号入力端子、７…制御信号出力端子、８…コンセントジャック、９…プラグ部、１０…デジタル変換部、１１…アダプタ側電力線送信部、１２…アダプタ側電力線受信部、１３…アナログ変換部、１６…操作部、１８…液晶ディスプレイ部（表示部）、１０２Ａ…ポータブルオーディオプレーヤー（再生装置）、１０２Ｂ…携帯電話（再生装置）、１２３…ＰＣ用ケーブル、１０４…ＰＬＣ側コネクタ部、１２３Ａ…ポータブルプレーヤー用ケーブル（再生装置用ケーブル）、１０５…共通コネクタ部、１０６Ａ、１０６Ｂ…再生装置用入出力端子、１２３Ｂ…携帯電話用ケーブル（再生装置用ケーブル）、Ｌ…電力線
【図１】
2007295512.tif 000003
【図２】
2007295512.tif 000004
【図３】
2007295512.tif 000005
【図４】
2007295512.tif 000006
【図５】
2007295512.tif 000007
【図６】
2007295512.tif 000008
【図７】
2007295512.tif 000009
【図８】
2007295512.tif 000010